(57)【特許請求の範囲】
【請求項１】
室内の床スラブ上にフリーアクセスフロアを有し、該フリーアクセスフロアの適当な箇所に設けられた、上記室内と上記空間を連通する吸気グリルと、吹き出しグリルとを備えた空調システムにおいて、床スラブ上に活性物質で表面処理された断熱材料を敷設して、循環気中の室内有害ガスを除去することを特徴とする環境性の改善された空調二重床。
【発明の詳細な説明】
【０００１】
【発明の属する技術分野】
本発明は人体に有害なアルデヒド類等を除去する空調二重床に関する。
【０００２】
【従来の技術】
従来より特開平１１−２１０２０５号公報に示されるように、循環二重床下に断熱材を設けて、室内の保温効果を高めることは公知である。しかし従来の方法では、体に有害な物質も、循環空気によりいつまでも消えずに室内に残った。
【０００３】
【発明が解決しようとする課題】
従来の二重床循環システムでは、アルデヒド類、ＶＯＣ等の人体に有害な物が消滅せず問題であった。本発明は、閉鎖系二重床に上記問題点を解決できる二重床システムに関する。
【０００４】
【課題を解決するための手段】
本発明は活性処理された断熱材料を床下地に敷設することにより、防塵効果と共に二重床のある室内で循環する空気中の有害物質を除去した環境に良好なシステムに関し、室内の床スラブ上にフリーアクセスフロアを有し、該フリーアクセスフロアの適当な箇所に設けられた、上記室内と上記空間を連通する吸気グリルと、吹き出しグリルとを備えた空調システムにおいて、床スラブ上に活性物質で表面処理された断熱材料を敷設して、循環気中の人体に有害なガスを除去することを特徴とする環境性の改善された空調二重床をその要旨とする。
【０００５】
本発明における活性物質とは、人体に有害なガスを吸着または反応によって、その発生を抑制する物質のことである。
【０００６】
【発明の実施の形態】
以下、本発明の一実施例を図面を参照して説明する。「図１」は本発明の空調システムを説明するための概念断面図で、コンピュータ執務室を例にとっている。「図２」はこの室の一部を見た断面図である。なお、この室は病院や老人ホームなどにも使用できる。図中１は執務室、２は床スラブ、３は断熱材である。この例では断熱材を設けたが、少なくとも従来のような高品質なものを設ける必要はない。４は床スラブ上に設置した複数の支持脚であり、この支持脚４上にフリーアクセスフロア５が支持され全体に敷きつめられている。６はこのフリーアクセスフロア５と床スラブ２との間に形成された床下空間であり、ここにはコンピュータ関連機器のケーブル等が配線されているが、本発明では空気を暖める空間となるし、空気の循環路ともなる。
【０００７】
７は上記フリーアクセスフロア５の適当な箇所に設けられた吹き出しグリルで、送風ファン９を設置している。またこれは適所に複数配置してもよいし、ルーバを設け風向き等を任意に調整できるようにしてもよい。８は吸気グリルで室内で冷気の下降流が発生しやすい箇所、例えば窓際や出入口等の位置に設け、これも複数箇所に配置してもよい。
断熱材料３としては、断熱材本体Ａ表面に不織布、樹脂層、あるいはそれに断熱材層本体に直接活性物質を付与した活性層Ｂが形成された構成である。断熱材本体は不織布フェルトでも、発泡体でもよい。断熱材本体の厚さは、１〜２０ｍｍが好適である。４は脚である。
【０００８】
発泡層としてはＰＶＣでも、ポリエチレンでもポリスチレンでもよい。ベース層の厚さは１〜２０ｍｍが好ましい。また発泡層としては、３〜５０倍の発泡倍率が好ましく、化学発泡でも機械発泡でもよい。ＰＶＣベース層の場合、主としてバージンＰＶＣのペーストを使用している。非発泡樹脂シートの場合は、バインダーに対し充填材が１〜２００重量部、可塑剤１０〜１００部である。なお火災対策として難燃性ポリオレフィンが好適である。
【０００９】
充填材として水酸化アルミニウム、重質炭酸カルシウム、軽質炭酸カルシウム、クレー、タルク等が例示される。
発泡体本体に寸法安定性付与のため、不織布、ネット等の繊維層を介在させても良い。
【００１０】
本願に使用する断熱材料は、上述の断熱材本体Ａ上に活性層Ｂが形成されて得られる。
活性層Ｂには、以下に記載された活性層が、
そのまま形成された層、不織布に含浸された層、または樹脂にコーティングされた層が得られる。
活性層Ｂには
（１）ホルムアルデヒドや悪臭成分の吸着もしくはこれらと反応する成分。
（２）トルエン、クロルベンゼン等の揮発性物（ＶＯＣ）を吸着する構成。
（３）光触媒による有害物質の分解等が開示される。
【００１１】
上記（１）に使用する薬剤としては、ケスモン（東亞合成）、ザオバタックスーパー（大和化学）、ミズカナイト（丸菱油化）、マモレック（帝国化学）、その他エラストロス、ソフボン、ハイカット、等が適用可能である。
【００１２】
これらの活性化剤の内１例として、二酸化珪素とアミノ基の反応物はアルデヒドと反応し、合成珪酸アルミニウムはアンモニアと反応し、ＺｎＯがメチルメルカプタン、ピリジン、トリメチルアミンと反応する。またケイ酸とジエチレントリアミン反応物も有害ガス除去に効果がある。
【００１３】
エチレンアミン、珪酸アルミニウムと、  Ｍｇ−Ａｌ，Ｚｎ−Ａｌ  ハイドロタルサイトとの組み合わせがアルデヒドを吸収し、二酸化珪素と無機イオン交換体（ハイドロサルタイト）がアンモニアガスを吸着する。
【００１４】
また４価金属リン酸塩、珪酸アルミ、ハイドロタルサイト、水酸化ジルコニウム、ポリアミン担持非晶質二酸化珪素等は、半導体製造施設において、半導体製造の機能において、悪影響を与える有毒ガス消臭シートが得られる。
また第１級アミノ基担持珪酸アルミと第１級アミノ基担持多孔質二酸化珪素はアルデヒドと、アンモニアアミンの塩基性ガスを同時に除去する。
【００１５】
Ｚｎイオン、Ｍｎイオン、と４価金属リン酸塩はＨ２Ｓ、メチルメルカプタン硫黄系の悪臭ガスを吸着する。吸収する。酸化亜鉛も酢酸、イソ吉草酸、硫化水素、メチルメルカプタンの除去に効果がある。
【００１６】
その他、特開平１０−１５５８８３号，特開２０００−１４００７９号，，特開２０００−２７９５００号，特開２００１−１２０６４９号公報に開示のある組成物が好適に使用される。
【００１７】
（２）トルエン、クロルベンゼン類等のＶＯＣを吸着する成分構成としては、上記断熱材本体上に、炭素粒、または炭素繊維を含有する不織布を積層する。
（３）また断熱材本体に光触媒による有害物分解組成物を含有する層を形成しても良い。
これには特開平１０−１５５８８３に、光触媒を不活性材料で被覆して、アンモニア、トリメチルアミンを分解することに開示されてある方法が適用される。
【００１８】
本発明により、ホルムアルデヒド、アセトアルデヒド、ＶＯＣ、４大悪臭（アンモニア、硫化水素、トリメチルアミン、メチルメルカプタン）、タバコ臭、汗の臭い（イソ吉草酸）、加齢臭（ノナネール）を除去することが出来る。
【００１９】
【本発明の施工方法】
シート状の本発明に使用する断熱材本体を、二重床の床下地に敷設し、周囲を粘着剤で固定した袋貼りにして、中心部は実質的に接着剤を使用せずに置き敷きにする。
床下地全面に断熱材本体を敷設することにより、防塵性が得られ、このように断熱材本体を敷設すると、有機溶剤のガスが発生することもない。
【００２０】
【発明の効果】
以上の通り本発明によれば、空気を環流した際にホルムアルデヒドやＶＯＣを効果的に２０％以上除去することができる。さらに床下地と風との直接摩擦による塵埃を防止できる。床スラブ面への熱損失を抑えることができ、局所的な床暖房と室内暖房を同時に比較的短時間で行うことができる。また、室内に生じる対流を利用しているだけなので、構造は極めて簡単であり、床下空間に熱がこもるようなことがなく安全でもある。さらに空調機などを併用すれば一層効果的な空調システムとなる。
ホルムアルデヒド、ＶＯＣ、トリメチルアミン、硫化水素、イソ吉草酸、タバコ臭、ノナネールが効果的に除去できた。
【００２１】
【実施例】
ホルムアルデヒドの吸着試験法：
５リットルのテドラーバッグ※）に繊維表層材（パイル５グラム）と以下のガスを３リットル投入し、所定時間後に容器内のホルムアルデヒド濃度をガス検知管で測定する。（  ※）テドラーバッフ：フッ化ビニルフィルムで作られた袋）
繊維表面層には以下の資料を供した。
１．ブランク
２．本発明品
本発明において測定条件は次の通りである。
ホルムアルデヒドは９０分後
硫化水素は１２０分後
トリメチルアミンは１２０分後
イソ吉草酸は１２０分後
ノナネールは１０分後
【００２２】
本発明と断熱材本体表面が未処理品での施工で、ホルムアルデヒドの残存率を「表１」に示す。
【００２３】
【表１】
0003761468.tif 000002
【００２４】
なお、検査するガスとしては
Ａ．ホルムアルデヒド    濃度１PPｍ
Ｂ．硫化水素
Ｃ．トリメチルアミン
Ｄ．イソ吉草酸
Ｅ．ノネナール（加齢臭）
尚、ノネナールは別途試験方法で試験した。
ノネナールの試験方法：
テドラーバッグに１０ｃｍ角の試料を入れ窒素ガス３リットル封入後、加齢臭のノネナールを注入する。注入してから１０分後ＧＣ/ＭＳで測定を行う。
【００２５】
実施例の構成
パイルに人体に有害なガスを吸着又は反応して無害化する以下の３種の活性物質が混在している。
１．二酸化珪素とジエチレントリアミン反応物はホルムアルデヒドとノナネール（加齢臭）を反応除去または吸着する。
２．ケイ酸アルミニウムはアンモニア、アミン類と反応して抑制する。
３．酸化亜鉛は酢酸、イソ吉草酸（汗臭さ）、硫化水素、メチルメルカプタンを除去する。
実施例より、ホルムアルデヒド、硫化水素の有毒ガス完全に除去し、イソ吉草酸も非常に少ない残存率である。またノナネール、トリメチルアミンは顕著に除去されており、
未処理品と比べ、非常に有毒ガス除去に効果がある。
【００２６】
上述の通り、本発明により、ホルムアルデヒドの発生を抑制し、４第悪臭を反応又は吸着して、有害ガスの影響が出ないようにすることが出来た。
従って、本発明断熱材を床下地に敷設することにより、二重床を敷いた室内環境を極めて良好にすることが出来た。
【図面の簡単な説明】
【図１】  本発明システム断面図である。
【図２】  本発明断熱素材断面図である。
【符号の説明】
【図１】
0003761468.tif 000003
【図２】
0003761468.tif 000004